(57)【特許請求の範囲】
【請求項１】
装置の内外を仕切る可動式のゲートと、装置内部に設けられた複数の可動式のパレットと、該パレットに設置される、電動モータを動力源に含む自動車のバッテリー充電用スタンドと、前記ゲート及び前記パレットの駆動機構を制御する動作制御部と、前記ゲートの外側に設置される操作盤とを含み、
前記動作制御部は、前記パレットの停止時にのみ前記ゲートの開放を許容し、前記ゲートの閉時にのみ前記パレットの動作を許容し、前記ゲートの開時に、装置ロック状態となって前記パレットの動作禁止制御及び前記ゲートの閉動作禁止制御がなされる制御モードへと切替わり、
前記操作盤に入力される前記制御モードの解除操作に係る解除指令を受領して前記制御モードを解除する前後において、前記バッテリー充電用スタンドの使用の有無を監視し、
前記バッテリー充電スタンドの使用中における前記制御モードの解除を不能とし、かつ、前記制御モードの解除後の前記バッテリー充電用スタンドの使用を受けて、再び前記制御モードへと切替わり、前記ゲートの閉動作を不能とする、制御ロジックを備えることを特徴とする機械式立体駐車装置。
【請求項２】
前記操作盤には、前記バッテリー充電用スタンドの使用状態を示す表示手段が設けられていることを特徴とする請求項１記載の機械式立体駐車装置。
【請求項３】
前記バッテリー充電用スタンドのスタンド扉の開状態を受けて、前記バッテリー充電用スタンドの使用を示す信号を前記動作制御部に出力する、充電制御部を備えることを特徴とする請求項１又は２記載の機械式立体駐車装置。
【発明の詳細な説明】
【技術分野】
【０００１】
本発明は、機械式立体駐車装置及びその運転制御方法に関するものである。
【背景技術】
【０００２】
図４に示される機械式立体駐車装置１０は、複数のパレット１２、１３、１４が上下一列に固定されてなるパレット昇降体１６が、地表面ＧＬを掘り下げて形成されたピット１８内に、左右に隣接して複数（図示の例では、１６１、１６２の２機）配置された、いわゆる昇降式の立体駐車装置である。そして、各パレット昇降体１６１、１６２には、上下に昇降させる昇降機構が各々設けられており、独立して上下に昇降可能である。そして、操作者Ｈ、Ｈ’は、ピット１８に隣接して装置外部に設けられた操作盤２０のスイッチを操作して、目的のパレットを地表面（入出庫面）ＧＬに呼び出し、車両２２の入出庫を行うものである。通常は、図示の如く上段のパレット１２が入出庫面ＧＬにある状態が、待機状態における定位置であり、中段のパレット１３及び下段のパレット１４に対して車両２２の入出庫を行う場合には、パレット昇降体１６を昇降させ、入出庫を完了した後、定位置へとパレット昇降体１６を復帰させるまでの一連の操作が、操作者Ｈ、Ｈ’に求められる。
なお、パレット昇降体１６の昇降機構についての詳しい説明は省略するが、電動モータや油圧等を動力源とし、パレット昇降体１６を昇降させるための動力伝達手段として、チェーン等が用いられるものである。（例えば、特許文献１参照。）。
【０００３】
又、近年では、電気自動車やプラグインハイブリッド車のように、電動モータを動力源に含む自動車の普及を考慮して、かかる自動車のためのバッテリー充電用スタンドの普及が求められており、機械式立体駐車装置に対するバッテリー充電用スタンドの設置も発案されている（例えば、特許文献２参照。）。図４に示された機械式立体駐車装置１０は、本発明者により開発されたものであり、待機状態で入出庫面ＧＬに位置する上段パレット１２に、バッテリー充電用スタンド２４が設けられたものである。
バッテリー充電スタンド２４は、スタンド扉２４ａを備えており、その内部に車両２２とバッテリー充電スタンド２４とを接続する、着脱式の充電コード２４ｂのコンセントが格納されることで、コンセント電極部が雨滴に曝されることを防いでいる。そして、バッテリー充電スタンド２４を使用して充電を行う際には、スタンド扉２４ａを開き、充電コード２４ｂをバッテリー充電スタンド２４側のコンセントに接続するものである。
なお、図４の機械式立体駐車装置１０は、野外に設置された例が示されているが、適宜、建屋内に設置することも可能である。
【０００４】
又、図５には、機械式立体駐車装置１０の別例である、いわゆる横行昇降式の立体駐車装置が示されている。この機械式立体駐車装置は地上４段、地下１段の５段構成であり、地上第４段（最上段）及び地下段には、入出庫段である地上第１段へと昇降可能な昇降パレット１２Ａ、１２Ｅが３台づつ配置されている。これらの昇降パレット１２Ａ、１２Ｅは、何れも、昇降駆動機構を備えている。又、地上第２段、第３段には、横行可能かつ地上第１段へと昇降可能な横行・昇降パレット１２Ｂ、１２Ｃが２台づつ配置されている。横行・昇降パレット１２Ｂ、１２Ｃは、横行レール上を走行車輪によって走行することにより、横行する横行フレームを備え、該横行フレームに、昇降パレット１２Ａと同様の昇降駆動機構が設けられたものである。更に、入出庫面に位置する地上第１段には、横行パレット１２Ｄが２台配置されている。横行パレット１２Ｄは、横行レール上を走行車輪によって走行するための横行駆動機構を備えている。なお、図５の機械式立体駐車装置１０は、横方向に３列構成となっているが、必要に応じて列の増減が可能である。
【０００５】
この機械式立体駐車装置１０において、地上第２段〜第４段の昇降パレット１２Ａ〜１２Ｃ、及び、地下段パレット１２Ｅに対し車両を入出庫させる際には、地上第１段のパレット１２Ｄが横行退避することにより、昇降パレット１２Ａ〜１２Ｃ、１２Ｅの１台分のスペースを確保する。そして、地上第１段に形成されたスペースへと、目的の昇降パレット１２Ａ、１２Ｅが昇降移動し、又は、横行昇降パレット１２Ｃ、１２Ｄが、横行・昇降する。よって、入出庫段に位置する横行パレット１２Ｄを含む、全てのパレットへの入出庫が可能となるものである。又、機械式立体駐車装置１０には、その待機時や、入出庫に係るパレットの地上第１段への移動を完了する間、機械式立体駐車装置内部への人や車の誤進入を防止するため、地上第１段を塞ぐ昇降式のゲート１５が設けられている（例えば、非特許文献１参照。）。
そして、前述のようなバッテリー充電用スタンド２４の設置は、かかる横行昇降式の立体駐車装置の各パレット１２Ａ〜１２Ｅにも、同様に進められているところである。
【先行技術文献】
【特許文献】
【０００６】
【特許文献１】特開２００１−１６４７８０号公報
【特許文献２】特開２０１０−２２２７９３号公報
【非特許文献】
【０００７】
【非特許文献１】「東急ネオ・トーパーク  地上４・３段・地下１段（横行昇降式・ピット式）駐車装置ＴＰＫｃ型」製品パンフレット，東急パーキングシステムズ株式会社
【発明の概要】
【発明が解決しようとする課題】
【０００８】
ところで、図４に示されるように、バッテリー充電スタンド２４を備える機械式立体駐車装置１０において、バッテリー充電スタンド２４を操作する際には、操作者Ｈ、Ｈ’が装置内に進入し、パレット昇降体１６に接触し得る位置での作業が必要となる。従って、操作者Ｈ、Ｈ’の装置内への進入中には、安全性を確実に確保するために、パレット昇降体１６の昇降その他の、装置の動作を制限することが望まれる。
本発明は、上記課題に鑑みてなされたものであり、その目的とするところは、バッテリー充電スタンドが使用状態にあるときには、ゲート又はパレット昇降体の動作を制限して、バッテリー充電用スタンドを備える機械式立体駐車装置の安全性を、十分に確保することにある。
【０００９】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【００１０】
（１）装置の内外を仕切る可動式のゲートと、装置内部に設けられた複数の可動式のパレットと、該パレットに設置される、電動モータを動力源に含む自動車のバッテリー充電用スタンドと、前記ゲート及び前記パレットの駆動機構を制御する動作制御部と、前記ゲートの外側に設置される操作盤とを含み、前記動作制御部は、前記パレットの停止時にのみ前記ゲートの開放を許容し、前記ゲートの閉時にのみ前記パレットの動作を許容し、前記ゲートの開時に、装置ロック状態となって前記パレットの動作禁止制御及び前記ゲートの閉動作禁止制御がなされる制御モードへと切替わり、前記操作盤に入力される前記制御モードの解除操作に係る解除指令を受領して前記制御モードを解除する前後において、前記バッテリー充電用スタンドの使用の有無を監視し、前記バッテリー充電スタンドの使用中における前記制御モードの解除を不能とし、かつ、前記制御モードの解除後の前記バッテリー充電用スタンドの使用を受けて、再び前記制御モードへと切替わり、前記ゲートの閉動作を不能とする、制御ロジックを備える機械式立体駐車装置（請求項１）。
【００１１】
本項に記載の機械式立体駐車装置は、ゲートの開時に、動作制御部が、装置ロック状態となってパレットの動作禁止制御及びゲートの閉動作禁止制御がなされる制御モードへと切替わり、これにより、装置内部への出入やバッテリー充電スタンドの使用のための状態が確保される。その後は、当該制御モードの解除の前後を問わず、バッテリー充電用スタンドの使用の有無を監視するものである。そして、バッテリー充電スタンドの使用中における前記制御モードの解除を不能とし、かつ、前記制御モードの解除後であっても、バッテリー充電用スタンドの使用を受けて、再び前記制御モードへと切替わり、ゲートの閉動作を不能とするものである。
【００１２】
すなわち、ゲートの開時に、ゲートの外に設置される操作盤によって、制御モードの解除操作に係る解除指令が入力され、それが動作制御部によって受領された後であっても、装置内部に操作者が進入して、バッテリー充電スタンドを使用可能な状態にある。よって、動作制御部は、制御モードの解除操作に係る解除指令の受領の前後で、バッテリー充電用スタンドの使用の有無を監視することで、制御モードの解除操作に係る解除指令が入力された後であっても、バッテリー充電用スタンドの使用を受けて、ゲートの閉動作を不能とする動作モードへと戻り、バッテリー充電スタンドの使用が、ゲートの開閉及びパレットの動作に対して優先されるものである。
【００１３】
（２）上記（１）項において、前記操作盤には、前記バッテリー充電用スタンドの使用状態を示す表示手段が設けられている機械式立体駐車装置（請求項２）。
本項に記載の機械式立体駐車装置は、操作盤に設けられた表示手段に、バッテリー充電用スタンドの使用状態が示されることで、ゲートの開閉及びパレットの動作に対して、バッテリー充電スタンドの使用が優先され、ゲートの開閉及びパレットの動作が行われない状態であることを、操作者に認識させるものである。そして、バッテリー充電スタンドの使用の終了を、操作者に促すものである。
【００１４】
（３）上記（１）又は（２）項において、前記バッテリー充電用スタンドのスタンド扉の開状態を受けて、前記バッテリー充電用スタンドの使用を示す信号を前記動作制御部に出力する、充電制御部を備える機械式立体駐車装置（請求項３）。
本項に記載の機械式立体駐車装置は、バッテリー充電用スタンドを使用する際に操作されるスタンド扉の開状態を受けて、充電制御部から動作制御部へと、バッテリー充電用スタンドの使用を示す信号を出力することで、動作制御部が、バッテリー充電用スタンドの使用を受けてゲートの閉動作を不能とするものである。
【発明の効果】
【００１５】
本発明はこのように構成したので、バッテリー充電スタンドが使用状態にあるときには、ゲート又はパレット昇降体の動作を制限し、バッテリー充電用スタンドを備える機械式立体駐車装置の安全性を、十分に確保することが可能となる。
【図面の簡単な説明】
【００１６】
【図１】本発明の実施の形態に係る機械式立体駐車装置の、充電制御部及び昇降制御部の構成を示すブロック図である。
【図２】本発明の実施の形態に係る機械式立体駐車装置の操作盤を（ａ）に、操作盤の表示手段に表示される操作画面の表示例を（ｂ）から（ｈ）に示した図である。
【図３】本発明の実施の形態に係る機械式立体駐車装置の、制御手順を示すフローチャートである。
【図４】従来の昇降式の立体駐車装を示す模式図である。
【図５】従来の横行昇降式の立体駐車装置を示す立体模式図である。
【発明を実施するための形態】
【００１７】
以下、本発明を実施するための形態を添付図面に基づいて説明する。ここで、従来技術と同一部分、若しくは相当する部分については、同一の符号を付して詳しい説明を省略する。
又、本発明の実施の形態に係る機械式立体駐車装置の全体構成は、図４、図５に示される従来の昇降式の立体駐車装置１０と同じである。よって、以下の説明においては適宜図４、図５も参照されたい。
【００１８】
図１には、本発明の実施の形態に係る機械式立体駐車装置の、制御手段２６の構成をブロック図で示している。この制御手段２６は、充電制御部２８と昇降制御部３０との双方が、相手方の状況を取り込んで作動制御を行うものである。
充電制御部２８は、バッテリー充電用スタンドのコンセント通電制御部３２を含み、かつ、バッテリー充電用スタンド２４の操作中を示す信号、ブレーカトリップ信号又はＣＰトリップ信号を、適宜、昇降制御部３０の装置動作制御部３６、操作処理制御部３８及び異常信号出力制御部４０へと出力する信号出力手段３４を備えている。なお、本発明の実施の形態では、バッテリー充電用スタンド２４の操作中を示す信号は、スタンド扉２４ａの開状態の検知信号であり、例えば、図４に示されるように、扉検知スイッチ２４ｃをバッテリー充電スタンド２４に設けることで得ることができる。
【００１９】
一方、昇降制御部３０は、装置動作制御部３６、操作処理制御部３８及び異常信号出力制御部４０を含み、かつ、装置定位置信号、電源ＯＮ−ＯＦＦ信号、通電許可信号、装置異常信号及び手動操作信号を、充電制御部２８のコンセント通電制御部３２へと出力する信号出力手段４２を備えている。
なお、充電制御部２８及び昇降制御部３０の構成については、マイクロコンピュータなどの電子演算器、リレー回路等によって適宜構成されるものである。
【００２０】
また、操作盤２０は、図２（ａ）に示されるように、入力手段及び画像表示手段としてのタッチパネル４４、音声表示手段としてのブザー４６、電源キースイッチ４８及び非常停止ボタン５０を備えている。タッチパネル４４は、操作者Ｈ、Ｈ’と昇降制御部３０とのインターフェースであり、図２（ｂ）〜（ｈ）に例示されるように、操作者Ｈ、Ｈ’に対して必要な情報及び要求される操作に応じた画面を表示することができ、画面中に表示される各種キーに直接的にタッチすることで、必要な入力を行うものである。これらの画像表示は、電源キースイッチ４８に専用キーを差し込み、電源スイッチをＯＮにすることで、初めて表示されるものであり、電源スイッチをＯＮに切り替えない限り、通常の操作は一切出来ないようになっている。
ブザー４６は、後述する機械式立体駐車装置の制御手順において、昇降制御部３０から音声情報を受けて、操作案内、通常作動時の確認音、非常時の警告音等を、適宜発することで、操作性を向上させるものである。又、非常停止ボタン５０は、操作者Ｈ、Ｈ’によって押されることで、装置を緊急停止させるための手動操作信号が、昇降制御部３０へと送信され、機械式立体駐車装置は直ちに停止する。なお、図２（ａ）の操作盤２０及び図２（ｂ）〜（ｈ）の操作画面は一例であり、同様の機能を有するものであれば、その構成は自由である。
【００２１】
以下に、本発明の実施の形態に係る機械式立体駐車装置の制御手順を、図１〜図３を参照しながら説明する。
Ｓ１００：操作盤２０の電源キースイッチ４８に専用キーを差し込み、専用キーを「入」まで回してキースイッチをＯＮにする。そして、昇降制御部３０の操作処理制御部３８により、キースイッチがＯＮであるか否かを監視する。
Ｓ１１０：Ｓ１００においてキースイッチＯＮ（ＹＥＳ）の場合には、操作処理制御部３８により、操作盤２０のタッチパネル４４には、図２（ｂ）に示されるテンキーが表示される。操作者Ｈ、Ｈ’は、タッチパネル４４のテンキーにより、入出庫に係るパレットのパレット番号を入力して「設定」を押すことで、入出庫に係るパレットの呼出操作を行う。
Ｓ１２０：Ｓ１１０の呼出操作を受けて、操作処理制御部３８により、操作盤２０のタッチパネル４４には、図２（ｃ）に示される「運転（運転を開始します）」キーが表示される。操作処理制御部３８は、この「運転」キーへの入力を監視し、運転開始操作がなされたか否かを把握する。
Ｓ１３０：Ｓ１２０において、運転開始操作がなされていると判断される場合には（ＹＥＳ）、操作処理制御部３８により、操作盤２０のタッチパネル４４には、図２（ｄ）に示される「装置動作中」表示がなされる。又、操作処理制御部３８から装置動作制御部３６へとパレット移動指令が出力され、装置動作制御部３６は、呼出操作がなされたパレットを地表面（入出庫面）ＧＬへと移動させる。
Ｓ１４０：装置動作制御部３６により、呼出操作がなされたパレットの移動が完了したか否かを監視する。
Ｓ１５０：Ｓ１４０において、呼出操作がなされたパレットの移動が完了し、パレットが停止すると（ＹＥＳ）、装置動作制御部３６から操作処理制御部３８へと、パレット停止の旨の信号が出力される。そして、装置動作制御部３６によりゲート１５（図５）が開放動作され、かつ、ゲート１５の開動作が完了したか否かの監視がなされる。
Ｓ１６０：Ｓ１５０において、ゲート１５開完了と判断されると（ＹＥＳ）、装置動作制御部３６から操作処理制御部３８へとゲート１５開完了の旨の信号が出力される。そして、ゲート１５が開放されることで、装置動作制御部３６により、パレット１２（パレット昇降体１６）動作禁止制御、及び、ゲート１５の閉動作禁止制御がなされる「装置内進入中」モードへと、制御モードが切り替わる。この「装置内進入中」モードにおいて、装置ロック状態となることから、装置内部への操作者Ｈ、Ｈ’及び車両２２の出入、更にはバッテリー充電スタンド２４の使用が可能となる。
【００２２】
Ｓ１７０：操作処理制御部３８により、操作盤２０のタッチパネル４４には、図２（ｅ）に示される「装置内進入中」表示がなされる。又、操作処理制御部３８から装置動作制御部３６へと、パレット１２（パレット昇降体１６）動作禁止指令、及び、ゲート１５の閉動作禁止指令が出力される。
Ｓ１８０： 「装置内進入中」モードにおいて、バッテリー充電用スタンド２４のスタンド扉２４ａが開状態にある（例えば、スタンド扉検知信号が出力されていない）場合には、充電制御部２８の信号出力手段３４から、操作処理制御部３８へと、スタンド扉開信号が出力されている。操作処理制御部３８は、スタンド扉開信号の有無を監視することで、バッテリー充電用スタンド２４の使用の有無を把握する。なお、スタンド扉２４ａの開状態は、バッテリー充電用スタンド２４を使用しての充電中であると、単なる閉め忘れであるとを問わない。
Ｓ１９０：Ｓ１８０において、バッテリー充電用スタンド２４が使用中であると判断されると（ＹＥＳ）、操作処理制御部３８から装置動作制御部３６へと、パレット１２（パレット昇降体１６）動作禁止指令、及び、ゲート１５の閉動作禁止指令が継続して出力され、装置動作制御部３６の「装置内進入中」モードの解除も出来ないようにし、装置ロック状態が維持される。又、適宜、操作処理制御部３８により、操作盤２０のタッチパネル４４には、図２（ｈ）に示される「充電スタンドの扉が開いています」表示がなされる。
【００２３】
Ｓ２００：操作者Ｈ、Ｈ’による装置内部での操作が完了し、機械式立体駐車装置を待機状態へと戻す際には、操作者Ｈ、Ｈ’は装置外から装置内の無人を確認し、操作処理制御部３８により、操作盤２０のタッチパネル４４の、図２（ｅ）に示される（「装置内進入中モード」の）「解除」キーを押す。Ｓ１８０において、バッテリー充電用スタンド２４が使用中ではないと判断されていれば（ＮＯ）、操作処理制御部３８により、操作盤２０のタッチパネル４４には、図２（ｆ）に示される「ゲート閉」キー及び「進入」キー表示がなされ、かつ、「装置内進入中」モードの解除操作の有無を監視する。
Ｓ２１０：Ｓ２００において、操作盤２０のタッチパネル４４に表示される「（装置内進入中）解除」キーが押され、「装置内進入中」モードの解除操作がなされると、操作処理制御部３８から装置動作制御部３６へと、「装置内進入中」モードの解除指令が出力され、装置動作制御部３６により、装置ロック状態が解除される。
Ｓ２２０：操作処理制御部３８は、「装置内進入中」モードの解除指令が出力後も、スタンド扉開信号の有無を監視し、バッテリー充電用スタンド２４の使用の有無を把握する。すなわち、操作処理制御部３８は、「装置内進入中」モードの解除操作に係る解除指令が装置動作制御部３６に受領され、装置動作制御部３６における「装置内進入中」モードが解除された後も、バッテリー充電用スタンド２４の使用の有無を監視する。
Ｓ２３０：Ｓ２２０において、バッテリー充電用スタンド２４が使用中であると判断されると（ＹＥＳ）、操作処理制御部３８から装置動作制御部３６へと、再び、パレット１２（パレット昇降体１６）動作禁止、及び、ゲート１５の閉動作が禁止される「装置内進入中」モードへと制御モードを戻す指令が出力され、装置ロック状態が維持される。又、操作処理制御部３８により、操作盤２０のタッチパネル４４には、図２（ｈ）に示される「充電スタンドの扉が開いています」表示がなされ、操作者Ｈ、Ｈ’に、スタンド扉２４ａを閉じることを促す。
Ｓ２４０：操作処理制御部３８は、スタンド扉開信号の有無を監視することで、バッテリー充電用スタンド２４の使用中（スタンド扉２４ａの閉状態）か否かを把握する。そして、バッテリー充電用スタンド２４が使用終了と判断されると（ＹＥＳ）、上記Ｓ１７０へと復帰する。
【００２４】
Ｓ２５０：Ｓ２２０において、バッテリー充電用スタンド２４が使用中ではないと判断されると（ＮＯ）、操作処理制御部３８から、操作盤２０のタッチパネル４４に、図２（ｆ）の「ゲート閉」キーが表示され、これを押すと、図２（ｇ）に示された「運転（運転を開始します）」キーが表示される。
Ｓ２６０：操作処理制御部３８は、Ｓ２５０のゲート閉操作の有無を監視し、操作者Ｈ、Ｈ’によりタッチパネル４４に表示された「運転（運転を開始します）」キーが押されると、操作処理制御部３８は、ゲート１５の閉操作に係る操作指令を受領する。
Ｓ２７０：Ｓ２６０においてゲート閉操作がなされると（ＹＥＳ）、操作処理制御部３８から装置動作制御部３６へとゲート閉動作開始の旨の信号が出力され、装置動作制御部３６は、ゲート１５の閉動作を行う。又、装置動作制御部３６は、適宜、パレットを定位置へと復帰させる。このとき、操作処理制御部３８によって、操作盤２０のタッチパネル４４には、図２（ｄ）に示される「装置動作中」表示がなされる。
Ｓ２８０：装置動作制御部３６により、ゲート１６の閉動作が完了したか否かを監視する。
Ｓ２９０：操作処理制御部３８により、操作盤２０のキースイッチ４８が「切」となっているか否かを監視する。「切」の位置でキースイッチＯＦＦとなり、操作処理制御部３８により、操作盤２０のタッチパネル４４の表示画像は消され、通常の操作は何ら受け付けなくなる。そして、機械式立体駐車装置の動作は完了し、操作者Ｈ、Ｈ’は、操作盤２０のキースイッチ４８から専用キーを抜き取ることができる。
【００２５】
さて、上記構成をなす本発明の実施の形態によれば、次のような作用効果を得ることが可能である。
すなわち、本発明の実施の形態に係る機械式立体駐車装置は、ゲート１５の開時に、動作制御部３０が、装置ロック状態となってパレット１２（パレット昇降体１６）の動作禁止制御及びゲート１５の閉動作禁止制御がなされる制御モードである、「装置進入中」モードへと切替わり、これにより、装置内部への出入やバッテリー充電スタンド２４の使用のための状態が確保される。その後は、「装置進入中」モードの解除の前後を問わず、バッテリー充電用スタンド２４の使用の有無を監視するものである。そして、バッテリー充電スタンド２４の使用中における「装置進入中」モードの解除を不能とし、かつ、「装置進入中」モードの解除後であっても、バッテリー充電用スタンド２４の使用を受けて、再び「装置進入中」モードへと切替わり、ゲート１５の閉動作を不能とするものである。
しかも、動作制御部３０は、ゲート１５の閉時にのみパレット１２、１３、１４又はパレット昇降体１６の動作を許容するものであることから、機械式立体駐車装置の主要な動作であるゲート１５の開閉及びパレット１２、１３、１４、パレット昇降体１６の動作に対して、バッテリー充電スタンド２４の使用が優先され、バッテリー充電用スタンド２４を備える機械式立体駐車装置の安全性を、十分に確保するのである。
【００２６】
なお、本発明の実施の形態に係る機械式立体駐車装置は、バッテリー充電用スタンド２４を使用する際に操作されるスタンド扉２４ｃの開状態を受けて、充電制御部２８から動作制御部３０へと、バッテリー充電用スタンド２４の使用を示す信号を出力することで、動作制御部３０が、バッテリー充電用スタンド２４の使用を受けて、ゲート１５の閉動作を不能とするものであり、スタンド扉２４ｃの閉め忘れ等も解消することができる。
【００２７】
又、本発明の実施の形態に係る機械式立体駐車装置は、ゲート１５の開時に、ゲート１５の外に設置される操作盤２０によって、「装置進入中」モードの解除操作に係る解除指令が入力され、それが動作制御部３０によって受領された後であっても、装置内部に操作者Ｈ、Ｈ’が進入して、バッテリー充電スタンド２４を使用可能な状態にある。そこで、動作制御部３０は、「装置進入中」モードの解除操作に係る解除指令の受領の前後で、バッテリー充電用スタンド２４の使用の有無を監視することで、「装置進入中」モードの解除操作に係る解除指令が入力された後であっても、バッテリー充電用スタンド２４の使用を受けて、ゲート１５の閉動作を不能とし、ゲート１５の開閉及びパレット１２、１３、１４、パレット昇降体１６の動作に対して、バッテリー充電スタンド２４の使用が優先されるものである。
【００２８】
又、本発明の実施の形態に係る機械式立体駐車装置は、操作盤２０に設けられた表示手段４４に、バッテリー充電用スタンド２４の使用状態が示されることで、ゲート１５の開閉及びパレット１２、１３、１４、パレット昇降体１６の動作に対して、バッテリー充電スタンド２４の使用が優先され、ゲート１５の開閉及びパレット１２、１３、１４、パレット昇降体１６の動作が行われない状態であることを、操作者Ｈ、Ｈ’に認識させることができる。そして、バッテリー充電スタンド２４の使用の終了を操作者に促すことができる。
【００２９】
なお、図４、図５の例と異なり、一列のパレット昇降体１６のみ備える機械式立体駐車装置であっても、本発明を適用することで、同様の作用効果を得ることが可能であることは、理解されるであろう。
【符号の説明】
【００３０】
１０：機械式立体駐車装置、  １２、１３、１４：パレット、１５：ゲート、  １６、１６１、１６２：パレット昇降体、２０：操作盤、２２：車両、２４：バッテリー充電スタンド、２４ａ：スタンド扉、２４ｃ：扉検知スイッチ、２６：制御手段、２８：充電制御部、３０：昇降制御部、３２：コンセント充電制御部、  ３４、４２：信号出力手段、３６：装置動作制御部、３８：操作処理制御部、４４：タッチパネル
【図１】
0005794793.tif 000002
【図２】
0005794793.tif 000003
【図３】
0005794793.tif 000004
【図４】
0005794793.tif 000005
【図５】
0005794793.tif 000006